(57)【特許請求の範囲】
【請求項１】
第１の通信ネットワークに接続された画像撮影装置と前記第１の通信ネットワークに接続された第１のサーバ装置とを含む画像撮影システムであって、
動画データと動画以外のデータからなるデータを転送するよう構成され、前記動画データの転送に使用する第１の論理ポートと、前記動画データ以外のデータの転送に使用する第２の論理ポートと、を備えたネットワークインターフェース部と、
前記ネットワークインターフェース部に備えられた前記第２の論理ポートのデータ転送量を計測する計測部と、
前記計測部により計測された前記データ転送量に基づいて、前記第２の論理ポート上で前記動画以外のデータが転送できるように、前記第１の論理ポートの転送帯域を設定する帯域制御部と、
を備えることを特徴とする画像撮影システム。
【請求項２】
前記帯域制御部は、前記計測部により計測された前記データ転送量に基づいて、前記第１の論理ポートの転送帯域を設定し、前記ネットワークインターフェース部の全ての転送帯域から当該第１の論理ポートの転送帯域を差し引いた転送帯域を前記第２の論理ポートに割り当てて設定する、
ことを特徴とする請求項１に記載の画像撮影システム。
【請求項３】
前記帯域制御部は、前記計測部により計測された前記データ転送量が第１の閾値以上のときは、前記第２の論理ポートの転送帯域が前記第１の論理ポートの転送帯域より広くなるよう前記第１の論理ポートの転送帯域を設定する、
ことを特徴とする請求項１に記載の画像撮影システム。
【請求項４】
前記帯域制御部は、前記データ転送量が前記第１の閾値よりも小さい第２の閾値以下のときは、前記第２の論理ポートの転送帯域が前記第１の論理ポートの転送帯域より狭くなるよう前記第１の論理ポートの転送帯域を設定する、
ことを特徴とする請求項３に記載の画像撮影システム。
【請求項５】
前記帯域制御部は、前記データ転送量が前記第１の閾値よりも小さく、前記第２の閾値よりも大きいときは、前記第２の論理ポートの転送帯域と前記第１の論理ポートの転送帯域とが等しくなるよう前記第１の論理ポートの転送帯域を設定する、
ことを特徴とする請求項４に記載の画像撮影システム。
【請求項６】
前記画像撮影装置及び前記第１のサーバ装置の各々は、
前記動画データの転送に使用する第１の物理ポートと、
前記動画データ以外のデータの転送、又は、前記動画データ及び前記動画データ以外のデータの転送に使用する第２の物理ポートと、を備えたネットワークインターフェース部を更に備え、
前記計測部は、前記第２の物理ポートにおける前記第２の論理ポートのデータ転送量を計測し、
前記帯域制御部は、前記計測部により計測された前記データ転送量に基づいて、前記第２の物理ポート上で前記動画以外のデータが転送できるように、前記第１の物理ポートの転送帯域を設定する、
ことを特徴とする請求項１記載の画像撮影システム。
【請求項７】
前記第１の通信ネットワークに接続されていない第２の通信ネットワークに接続された第２のサーバ装置を更に含み、
前記画像撮影装置は、前記第２の通信ネットワークにも接続され、前記画像撮影装置から前記第１の通信ネットワークを介して前記第１のサーバ装置へ転送され当該第１のサーバ装置に記録されるデータは、前記画像撮影装置から前記第２の通信ネットワークを介して前記第２のサーバ装置へも転送され当該第２のサーバ装置にも記録される、
ことを特徴とする請求項１記載の画像撮影システム。
【請求項８】
前記画像撮影装置は、データ記録部を更に備え、
前記画像撮影装置から前記第１の通信ネットワークを介して前記第１のサーバ装置へ転送され当該第１のサーバ装置に記録されるデータは、前記データ記録部にも記録される、
ことを特徴とする請求項１記載の画像撮影システム。
【請求項９】
前記画像撮影装置は、前記第１のサーバ装置へデータを転送する際に、当該データに関連する日時データをも前記第１のサーバ装置へ転送し、
前記第１のサーバ装置は、前記画像撮影装置から転送される前記データを記録した日時と前記画像撮影装置から転送される前記データに関連する日時データに係る日時とに基づいて、前記データの改竄の可能性の有無を検出する、
ことを特徴とする請求項７記載の画像撮影システム。
【請求項１０】
前記画像撮影装置は、
補助電源と、
当該画像撮影装置の各部への電力供給を管理する電源管理部と、
を更に備え、
前記画像撮影装置において、データの転送中に商用電源からの電力供給が遮断された場合に、前記データの転送が継続されるように前記電源管理部が前記データの転送に必要な各部への電力供給を前記補助電源から行うように制御し、前記データの転送が完了した後に前記補助電源からの電力供給を遮断するように制御する、
ことを特徴とする請求項１に記載の撮影画像システム。
【請求項１１】
前記画像撮影装置は、当該画像撮影装置の各部への電力供給を管理する電源管理部を更に備え、前記画像撮影装置において、データの転送中に商用電源からの電力供給が遮断された場合に、前記データの転送が継続されるように前記電源管理部が前記データの転送に必要な各部への電力供給を前記第１の通信ネットワークに接続されたネットワーク装置から行うように制御し、前記データの転送が完了した後に前記ネットワーク装置からの電力供給を遮断するように制御する、
ことを特徴とする請求項１に記載の撮影画像システム。
【請求項１２】
前記画像撮影装置は、前記動画データと個人データとが関連付けて記録される動画データ記録部を更に備え、
前記画像撮影装置、及び、前記画像撮影装置から転送された前記動画データと当該動画データに関連付けされた前記個人データとを記録した前記第１のサーバ装置の各々は、前記動画データのみ、又は、前記動画データと当該動画データに関連付けされた前記個人データとを表示する、
ことを特徴とする請求項１に記載の撮影画像システム。
【請求項１３】
通信ネットワークに接続されたサーバ装置と通信可能に構成された画像撮影装置であって、
動画データと動画以外のデータからなるデータを前記サーバ装置へ転送するよう構成され、動画データの転送に使用する第１の論理ポートと、前記動画データ以外のデータの転送に使用する第２の論理ポートと、を備えたネットワークインターフェース部と、
前記ネットワークインターフェース部に備えられた前記第２の論理ポートのデータ転送量を計測する計測部と、
前記計測部により計測された前記データ転送量に基づいて、前記第２の論理ポート上で前記動画以外のデータが転送できるように、前記第１の論理ポートの転送帯域を設定する帯域制御部と、
を備えることを特徴とする画像撮影装置。
【発明の詳細な説明】
【技術分野】
【０００１】
本発明は、画像撮影装置とサーバ装置とを含む画像撮影システムに関する。
【背景技術】
【０００２】
従来、画像撮影装置とサーバ装置とが通信ネットワークを介して接続される構成を有する画像撮影システムがある。画像撮影装置は、画像（動画や静止画）を撮影する等の処理を行う装置であり、サーバ装置は、画像撮影装置により撮影された画像を保存する等の処理を行う装置である。このような撮影画像システムでは、画像撮影装置とサーバ装置との間で各種のデータ転送が行われている。【０００３】
なお、画像撮影装置とサーバ装置とを含む画像撮影システムとして、例えば、内視鏡及び内視鏡画像記録装置を有する内視鏡システムと保存用サーバとを含むシステム等が知られている（特許文献１等参照）。
【先行技術文献】
【特許文献】
【０００４】
【特許文献１】特開２００２−３４９０７号公報
【発明の概要】
【発明が解決しようとする課題】
【０００５】
上述の画像撮影システムにおいて、例えば、画像撮影装置から大容量の動画データがサーバ装置へ転送される場合には、その動画データの転送に帯域が占有されてしまうために、それ以外のデータの転送が遅延する、或いは、それ以外のデータを転送することができない虞があった。【０００６】
以上のような実情を踏まえ、本発明は、動画データ以外のデータの転送を滞りなく行うことができると共に動画データの転送に要する時間を極力短縮することができる画像撮影システム及び画像撮影装置を提供することを目的とする。
【課題を解決するための手段】
【０００７】
本発明の第１の態様は、第１の通信ネットワークに接続された画像撮影装置と前記第１の通信ネットワークに接続された第１のサーバ装置とを含む画像撮影システムであって、動画データと動画以外のデータからなるデータを転送するよう構成され、前記動画データの転送に使用する第１の論理ポートと、前記動画データ以外のデータの転送に使用する第２の論理ポートと、を備えたネットワークインターフェース部と、前記ネットワークインターフェース部に備えられた前記第２の論理ポートのデータ転送量を計測する計測部と、前記計測部により計測された前記データ転送量に基づいて、前記第２の論理ポート上で前記動画以外のデータが転送できるように、前記第１の論理ポートの転送帯域を設定する帯域制御部と、を備える画像撮影システムを提供する。
本発明の第２の態様は、第１の態様において、前記帯域制御部は、前記計測部により計測された前記データ転送量に基づいて、前記第１の論理ポートの転送帯域を設定し、前記ネットワークインターフェース部の全ての転送帯域から当該第１の論理ポートの転送帯域を差し引いた転送帯域を前記第２の論理ポートに割り当てて設定する、画像撮影システムを提供する。
本発明の第３の態様は、第１の態様において、前記帯域制御部は、前記計測部により計測された前記データ転送量が第１の閾値以上のときは、前記第２の論理ポートの転送帯域が前記第１の論理ポートの転送帯域より広くなるよう前記第１の論理ポートの転送帯域を設定する、画像撮影システムを提供する。
本発明の第４の態様は、第３の態様において、前記帯域制御部は、前記データ転送量が前記第１の閾値よりも小さい第２の閾値以下のときは、前記第２の論理ポートの転送帯域が前記第１の論理ポートの転送帯域より狭くなるよう前記第１の論理ポートの転送帯域を設定する、画像撮影システムを提供する。
本発明の第５の態様は、第４の態様において、前記帯域制御部は、前記データ転送量が前記第１の閾値よりも小さく、前記第２の閾値よりも大きいときは、前記第２の論理ポートの転送帯域と前記第１の論理ポートの転送帯域とが等しくなるよう前記第１の論理ポートの転送帯域を設定する、画像撮影システムを提供する。
【０００８】
本発明の第６の態様は、第１の態様において、前記画像撮影装置及び前記第１のサーバ装置の各々は、前記動画データの転送に使用する第１の物理ポートと、前記動画データ以外のデータの転送、又は、前記動画データ及び前記動画データ以外のデータの転送に使用する第２の物理ポートと、を備えたネットワークインターフェース部を更に備え、前記計測部は、前記第２の物理ポートにおける前記第２の論理ポートのデータ転送量を計測し、前記帯域制御部は、前記計測部により計測された前記データ転送量に基づいて、前記第２の物理ポート上で前記動画以外のデータが転送できるように、前記第１の物理ポートの転送帯域を設定する、画像撮影システムを提供する。
【０００９】
本発明の第７の態様は、第１の態様において、前記第１の通信ネットワークに接続されていない第２の通信ネットワークに接続された第２のサーバ装置を更に含み、前記画像撮影装置は、前記第２の通信ネットワークにも接続され、前記画像撮影装置から前記第１の通信ネットワークを介して前記第１のサーバ装置へ転送され当該第１のサーバ装置に記録されるデータは、前記画像撮影装置から前記第２の通信ネットワークを介して前記第２のサーバ装置へも転送され当該第２のサーバ装置にも記録される、画像撮影システムを提供する。
【００１０】
本発明の第８の態様は、第１の態様において、前記画像撮影装置は、データ記録部を更に備え、前記画像撮影装置から前記第１の通信ネットワークを介して前記第１のサーバ装置へ転送され当該第１のサーバ装置に記録されるデータは、前記データ記録部にも記録される、画像撮影システムを提供する。
【００１１】
本発明の第９の態様は、第７の態様において、前記画像撮影装置は、前記第１のサーバ装置へデータを転送する際に、当該データに関連する日時データをも前記第１のサーバ装置へ転送し、前記第１のサーバ装置は、前記画像撮影装置から転送される前記データを記録した日時と前記画像撮影装置から転送される前記データに関連する日時データに係る日時とに基づいて、前記データの改竄の可能性の有無を検出する、画像撮影システムを提供する。
【００１２】
本発明の第１０の態様は、第１の態様において、前記画像撮影装置は、補助電源と、当該画像撮影装置の各部への電力供給を管理する電源管理部と、を更に備え、前記画像撮影装置において、データの転送中に商用電源からの電力供給が遮断された場合に、前記データの転送が継続されるように前記電源管理部が前記データの転送に必要な各部への電力供給を前記補助電源から行うように制御し、前記データの転送が完了した後に前記補助電源からの電力供給を遮断するように制御する、撮影画像システムを提供する。
【００１３】
本発明の第１１の態様は、第１の何れか一つの態様において、前記画像撮影装置は、当該画像撮影装置の各部への電力供給を管理する電源管理部を更に備え、前記画像撮影装置において、データの転送中に商用電源からの電力供給が遮断された場合に、前記データの転送が継続されるように前記電源管理部が前記データの転送に必要な各部への電力供給を前記第１の通信ネットワークに接続されたネットワーク装置から行うように制御し、前記データの転送が完了した後に前記ネットワーク装置からの電力供給を遮断するように制御する、撮影画像システムを提供する。
【００１４】
本発明の第１２の態様は、第１の何れか一つの態様において、前記画像撮影装置は、前記動画データと個人データとが関連付けて記録される動画データ記録部を更に備え、前記画像撮影装置、及び、前記画像撮影装置から転送された前記動画データと当該動画データに関連付けされた前記個人データとを記録した前記第１のサーバ装置の各々は、前記動画データのみ、又は、前記動画データと当該動画データに関連付けされた前記個人データとを表示する、撮影画像システムを提供する。
本発明の第１３の態様は、通信ネットワークに接続されたサーバ装置と通信可能に構成された画像撮影装置であって、動画データと動画以外のデータからなるデータを前記サーバ装置へ転送するよう構成され、動画データの転送に使用する第１の論理ポートと、前記動画データ以外のデータの転送に使用する第２の論理ポートと、を備えたネットワークインターフェース部と、前記ネットワークインターフェース部に備えられた前記第２の論理ポートのデータ転送量を計測する計測部と、前記計測部により計測された前記データ転送量に基づいて、前記第２の論理ポート上で前記動画以外のデータが転送できるように、前記第１の論理ポートの転送帯域を設定する帯域制御部と、を備える画像撮影装置を提供する。
【発明の効果】
【００１５】
本発明によれば、動画データ以外のデータの転送を滞りなく行うことができると共に動画データの転送に要する時間を極力短縮することができる画像撮影システム及び画像撮影装置を提供することができる。
【図面の簡単な説明】
【００１６】
【図１】第１の実施の形態に係る医療用画像撮影システムの構成例を示す図である。
【図２】第１の実施の形態に係る医療用画像撮影装置の構成例を示す図である。
【図３】第１の実施の形態に係る医療用画像撮影装置で行われる転送帯域制御動作に係る処理例を示すフローチャートである。
【図４】第２の実施の形態に係る医療用画像撮影システムの構成例を示す図である。
【図５】第２の実施の形態に係る医療用画像撮影装置の構成例を示す図である。
【図６】第２の実施の形態に係る医療用画像撮影装置で行われる転送帯域制御動作に係る処理例を示すフローチャートである。
【図７】変形例に係る医療用画像撮影装置の構成例を示す図である。
【図８】変形例に係る医療用画像撮影システムの構成例を示す第１の図である。
【図９】変形例に係る医療用画像撮影システムの構成例を示す第２の図である。
【図１０】変形例に係る再生表示例を示す図である。
【発明を実施するための形態】
【００１７】
以下、図面を参照しながら、本発明の実施の形態について説明する。
なお、以下に述べる実施の形態では、本発明の画像撮影システムを医療分野に適用して医療用画像撮影システムとして説明を行うが、これは一例であって、本発明の画像撮影システムを他の分野に適用して他の種類の画像撮影システムとしてもよいことは勿論のことである。
【００１８】
＜第１の実施の形態＞
図１は、本発明の第１の実施の形態に係る医療用画像撮影システムの構成例を示す図である。
【００１９】
図１に示したように、本実施形態に係る医療用画像撮影システム１００は、医療用画像撮影装置２００、通信ネットワーク３００、サーバ装置４００を含み、医療用画像撮影装置２００とサーバ装置４００の各々が通信ネットワーク３００に接続される構成を有する。なお、医療用画像撮影装置２００、通信ネットワーク３００、サーバ装置４００は、画像撮影装置、第１の通信ネットワーク、第１のサーバ装置の一例である。
【００２０】
医療用画像撮影装置２００とサーバ装置４００の各々は、動画データの転送に使用する論理ポートＡと、動画データ以外のデータの転送に使用する論理ポートＢを有する。なお、論理ポートＡは、動画データの転送に使用されるアプリケーションが使用する論理ポートでもある。論理ポートＢは、動画データ以外のデータの転送に使用されるアプリケーションが使用する論理ポートでもある。論理ポートＡ、論理ポートＢは、第１の論理ポート、第２の論理ポートの一例である。
【００２１】
通信ネットワーク３００は、例えば、１００ＢＡＳＥ−ＴＸに準拠したネットワーク環境（実効スループットが４０Ｍｂｐｓ（Megabits per second）程度）を有する。
図２は、医療用画像撮影装置２００の構成例を示す図である。
【００２２】
図２に示したように、医療用画像撮影装置２００は、内視鏡２１０、内視鏡ビデオプロセッサ２２０を含み、内視鏡２１０と内視鏡ビデオプロセッサ２２０とが接続された構成を有する。
【００２３】
内視鏡２１０は、ユーザ（例えば医師）の撮影指示に応じて被写体像を撮像して得た映像信号を内視鏡ビデオプロセッサ２２０へ出力する。なお、以下では、一例として、内視鏡２１０が、ユーザの動画撮影指示に応じて得た動画の映像信号を内視鏡ビデオプロセッサ２２０へ出力するものとして説明を行う。
【００２４】
内視鏡ビデオプロセッサ２２０は、スコープインターフェース部２２１、動画エンコード部２２２、記録部２２３、ＣＰＵ（Central Processing Unit）２２４、文字データ生成部２２５、電源管理部２２６、バッテリー２２７、画像処理部２２８、ネットワークインターフェース部２２９を含む。なお、記録部２２３、バッテリー２２７は、動画データ記録部、補助電源の一例である。
【００２５】
スコープインターフェース部２２１は、内視鏡２１０から出力される映像信号を、所定の信号処理及びＡ／Ｄ（Analog-to-Digital）変換等により、画像データに変換し、動画エンコード部２２２へ出力する。
【００２６】
動画エンコード部２２２は、スコープインターフェース部２２１から出力される画像データを所定のフォーマット（例えばＭｏｔｉｏｎＪＰＥＧ（Motion Joint Photographic Experts Group）、ＭＰＥＧ（Moving Picture Experts Group）１、ＭＰＥＧ２等）でエンコード（符号化）し、記録部２２３へ出力する。
【００２７】
記録部２２３は、例えばＣＦ（CompactFlash）カード等であって、動画エンコード部２２２から出力されるエンコード後の画像データ（動画データ）を記録する。また、記録部２２３は、患者データ（個人データの一例）等も記録する。患者データは、文字データでもあって、文字データ生成部２２５により生成される。なお、記録部２２３において、動画データとそれに対応する患者データは、必要に応じて、関連付けされて記録される。
【００２８】
ＣＰＵ２２４は、図示しないメモリに格納されているプログラムを読み出し実行することによって、医療用画像撮影装置２００の全体動作を制御する。
文字データ生成部２２５は、各種の文字データを生成する。例えば、文字データ生成部２２５は、図示しない操作部を介して入力される患者に関するデータ、又は、通信ネットワーク３００に接続される外部装置から送信される患者に関するデータに基づいて、患者データを生成する。
【００２９】
電源管理部２２６は、外部の商用電源２４０又はバッテリー２２７から、医療用画像撮影装置２００の各部（例えば、スコープインターフェース部２２１、動画エンコード部２２２、記録部２２３、ＣＰＵ２２４、文字データ生成部２２５、画像処理部２２８、ネットワークインターフェース部２２９等）への電力供給を管理する（図２の点線矢印参照）。
【００３０】
画像処理部２２８は、各種の画像処理を行う。例えば、画像処理部２２８は、動画撮影中において、記録部２２３に記録される動画データと、それに関連付けされる患者データ（文字データ）とを合成する処理を行う。なお、このようにして画像処理部２２８により患者データが合成された動画データは、図示しない表示部に、ライブ映像として表示される。
【００３１】
ネットワークインターフェース部２２９は、通信ネットワーク３００に接続され、例えば、サーバ装置４００との間でデータ転送を行う。また、ネットワークインターフェース部２２９は、実効スループット計測部２３０、転送帯域制御部２３１を含む。なお、実効スループット計測部２３０、転送帯域制御部２３１は、計測部、帯域制御部の一例である。
【００３２】
実効スループット計測部２３０は、論理ポートＢの所定時間当たりの実効スループット（データ転送量）を計測する。なお、本実施形態では、その所定時間を１分間とするが、これに限定されるものではない。
【００３３】
転送帯域制御部２３１は、実効スループット計測部２３０により計測された実効スループットに基づいて、論理ポートＡ及び論理ポートＢの転送帯域を制御する。
なお、図示はしないが、サーバ装置４００も、医療用画像撮影装置２００と同様に、ＣＰＵ、実効スループット計測部及び転送帯域制御部を有するネットワークインターフェース部を含む。
【００３４】
図３は、医療用画像撮影装置２００で行われる転送帯域制御動作に係る処理例を示すフローチャートである。なお、この処理は、ＣＰＵ２２４が、図示しないメモリに格納されているプログラムを読み出し実行することによって実行される処理である。
【００３５】
図３に示したように、ＣＰＵ２２４は、ユーザの動画撮影指示に応じて得られた動画データを記録部２２３に記録、保存すると（Ｓ１０１）、その動画データの、サーバ装置４００への転送を開始する（Ｓ１０２）。なお、この時点では、例えば、動画データの転送に使用する論理ポートＡの転送帯域が５０Ｍｂｐｓ（全ての転送帯域の５０％に相当）に設定され、残りの転送帯域（５０Ｍｂｐｓ）が、動画データ以外のデータの転送に使用する論理ポートＢの転送帯域として設定されているものとする。
【００３６】
続いて、ＣＰＵ２２４は、動画データの転送が完了したか否かを判定する（Ｓ１０３）。ここで、その判定結果がＮｏの場合には、ＣＰＵ２２４の制御の下、実効スループット計測部２３０が、動画データ以外のデータの１分間当たりの実行スループット、すなわち、論理ポートＢにおける１分間当たりの実効スループットを計測する（Ｓ１０４）。
【００３７】
続いて、ＣＰＵ２２４は、Ｓ１０４で計測された１分間当たりの実効スループットが２０Ｍｂｐｓ（通信ネットワーク３００の実効スループットの５０％に相当）以上であるか否かを判定する（Ｓ１０５）。ここで、その判定結果がＹｅｓの場合には、ＣＰＵ２２４の制御の下、転送帯域制御部２３１が、動画データの転送に使用する論理ポートＡの転送帯域を２０Ｍｂｐｓ（全ての転送帯域の２０％に相当）に設定する（Ｓ１０６）。なお、この２０Ｍｂｐｓは、実行スループットが８Ｍｂｐｓ程度になると予想される値でもある。また、これにより、残りの転送帯域（８０Ｍｂｐｓ）が、動画データ以外のデータの転送に使用する論理ポートＢの転送帯域として設定される。
【００３８】
一方、Ｓ１０５の判定結果がＮｏの場合には、ＣＰＵ２２４は、Ｓ１０４で計測された１分間当たりの実効スループットが５Ｍｂｐｓ（通信ネットワーク３００の実効スループットの１２．５％に相当）以上であるか否かを判定する（Ｓ１０７）。ここで、その判定結果がＹｅｓの場合には、ＣＰＵ２２４の制御の下、転送帯域制御部２３１が、動画データの転送に使用する論理ポートＡの転送帯域を５０Ｍｂｐｓ（全ての転送帯域の５０％に相当）に設定する（Ｓ１０８）。なお、この５０Ｍｂｐｓは、実行スループットが２０Ｍｂｐｓ程度になると予想される値でもある。また、これにより、残りの転送帯域（５０Ｍｂｐｓ）が、動画データ以外のデータの転送に使用する論理ポートＢの転送帯域として設定される。
【００３９】
一方、Ｓ１０７の判定結果がＮｏの場合には、ＣＰＵ２２４の制御の下、転送帯域制御部２３１が、動画データの転送に使用する論理ポートＡの転送帯域を７０Ｍｂｐｓ（全ての転送帯域の７０％に相当）に設定する（Ｓ１０９）。なお、この７０Ｍｂｐｓは、実行スループットが２８Ｍｂｐｓ程度になると予想される値でもある。また、これにより、残りの転送帯域（３０Ｍｂｐｓ）が、動画データ以外のデータの転送に使用する論理ポートＢの転送帯域として設定される。
【００４０】
そして、Ｓ１０６、Ｓ１０８、又はＳ１０９の後は、処理がＳ１０３へ戻る。
一方、Ｓ１０３の判定結果がＹｅｓの場合には、本処理が終了する。
なお、図示はしないが、サーバ装置４００で行われる転送帯域制御動作も、医療用画像撮影装置２００で行われる動作と基本的に同様となる。すなわち、サーバ装置４００で行われる転送帯域制御動作では、医療用画像撮影装置２００からサーバ装置４００への動画データの転送が開始されてからの処理が、図３に示したＳ１０３乃至Ｓ１０９の処理と同様となる。
【００４１】
以上、本実施形態に係る医療用画像撮影システム１００によれば、医療用画像撮影装置２００からサーバ装置４００への動画データの転送中に、動画データ以外のデータの１分間当たりの実行スループットが大きくなると、動画データの転送帯域が狭く且つ動画データ以外のデータの転送帯域が広く設定されるようになる。また、医療用画像撮影装置２００からサーバ装置４００への動画データの転送中に、動画データ以外のデータの１分間当たりの実行スループットが小さくなると、動画データの転送帯域が広く且つ動画データ以外のデータの転送帯域が狭く設定されるようになる。従って、医療用画像撮影システム１００では、動画データ以外のデータの転送を滞りなく行うことができると共に動画データの転送に要する時間を極力短縮することができる。
【００４２】
なお、医療用画像撮影装置２００で行われる転送帯域制御動作（図３参照）において、動画データの転送中にユーザが医療用画像撮影装置２００の図示しない電源スイッチをオフする等したために外部の商用電源２４０からの電力供給が遮断された場合、医療用画像撮影装置２００では、例えば、次のような動作が行われてもよい。この場合は、電源管理部２２６が、その動画データの転送が継続されるように、その動画データの転送に必要な各部（例えば、記録部２２３、ＣＰＵ２２４、ネットワークインターフェース部２２９等）への電力供給をバッテリー２２７から行うように制御し、その動画データの転送が完了した後にバッテリー２２７からの電力供給を遮断するように制御してもよい。より詳しくは、動画データの転送中に、電源管理部２２６が、外部の商用電源２４０からの電力供給の遮断を検出すると、電力供給源を外部の商用電源２４０からバッテリー２２７に切り替え、その旨の通知（補助電源切替通知）をＣＰＵ２２４へ送信する。その通知を受信したＣＰＵ２２４は、その後、動画データの転送が完了すると、バッテリー２２７からの電力供給を遮断する要求（電源遮断要求）を電源管理部２２６に対して行う。その要求を受けた電源管理部２２６は、その要求に従って、バッテリー２２７からの電力供給を遮断する。なお、その後、電源管理部２２６が、外部の商用電源２４０からの電力供給を検出すると、電力供給源をバッテリー２２７から外部の商用電源２４０に切り替え、医療用画像撮影装置２００の各部への電力供給を外部の商用電源２４０から行うように制御する。このような動作により、動画データの転送中に外部の商用電源２４０からの電力供給が遮断されたとしても、その動画データの転送を中断することなく継続することができる。なお、このような動作は、動画データの転送に限らず、動画データ以外のデータの転送に適用するようにしてもよい。
【００４３】
＜第２の実施の形態＞
図４は、本発明の第２の実施の形態に係る医療用画像撮影システムの構成例を示す図である。
【００４４】
図４に示したように、本実施形態に係る医療用画像撮影システム５００は、医療用画像撮影装置６００、通信ネットワーク７００、サーバ装置８００を含み、医療用画像撮影装置６００とサーバ装置８００の各々が通信ネットワーク７００に接続される構成を有する。なお、医療用画像撮影装置６００、通信ネットワーク７００、サーバ装置８００は、画像撮影装置、第１の通信ネットワーク、第１のサーバ装置の一例である。
【００４５】
医療用画像撮影装置６００とサーバ装置８００の各々は、動画データの転送に使用する論理ポートＡと、動画データ以外のデータの転送に使用する論理ポートＢを有する。なお、論理ポートＡは、動画データの転送に使用されるアプリケーションが使用する論理ポートでもある。論理ポートＢは、動画データ以外のデータの転送に使用されるアプリケーションが使用する論理ポートでもある。論理ポートＡ、論理ポートＢは、第１の論理ポート、第２の論理ポートの一例である。
【００４６】
また、医療用画像撮影装置６００とサーバ装置８００の各々は、動画データの転送に使用する物理ポートＡと、動画データ以外のデータの転送、又は、動画データ及び動画データ以外のデータの転送に使用する物理ポートＢとを有する。なお、物理ポートＡ、物理ポートＢは、第１の物理ポート、第２の物理ポートの一例である。
【００４７】
通信ネットワーク７００は、医療用画像撮影装置６００の物理ポートＡとサーバ装置８００の物理ポートＡとの間のネットワーク環境、及び、医療用画像撮影装置６００の物理ポートＢとサーバ装置８００の物理ポートＢとの間のネットワーク環境の各々が、例えば、１００ＢＡＳＥ−ＴＸに準拠したネットワーク環境（実効スループットが４０Ｍｂｐｓ程度）を有する。なお、医療用画像撮影装置６００の物理ポートＡとサーバ装置８００の物理ポートＡとの間のネットワーク環境を、以下、動画転送用インフラともいう。また、医療用画像撮影装置６００の物理ポートＢとサーバ装置８００の物理ポートＢとの間のネットワーク環境を、以下、その他データ転送用インフラともいう。
【００４８】
図５は、医療用画像撮影装置６００の構成例を示す図である。
図５に示したように、医療用画像撮影装置６００の構成は、２つのネットワークインターフェース部６１０、６２０を備えること以外は、図２に示した医療用画像撮影装置２００と基本的に同様となる。
【００４９】
ネットワークインターフェース部６１０は、物理ポートＡに対応するものであり、動画転送用インフラに接続され、例えば、サーバ装置８００との間で動画データの転送を行う。
【００５０】
ネットワークインターフェース部６２０は、物理ポートＢに対応するものであり、その他データ転送用インフラに接続され、例えば、サーバ装置８００との間で、動画データ以外のデータの転送、又は、動画データ及び動画データ以外のデータの転送を行う。また、ネットワークインターフェース部６２０は、実効スループット計測部６２１、転送帯域制御部６２２を含む。なお、実効スループット計測部６２１、転送帯域制御部６２２は、計測部、帯域制御部の一例である。
【００５１】
実効スループット計測部６２１は、ネットワークインターフェース部６２０（物理ポートＢ）における論理ポートＢの所定時間当たりの実効スループットを計測する。なお、本実施形態でも、その所定時間を１分間とするが、これに限定されるものではない。
【００５２】
転送帯域制御部６２２は、実効スループット計測部６２１により計測された実効スループットに基づいて、ネットワークインターフェース部６２０（物理ポートＢ）における、論理ポートＡ及び論理ポートＢの転送帯域を制御する。
【００５３】
その他の構成要素については、図２に示した構成要素と同一であるので、ここでは説明を割愛する。なお、図５に示した医療用画像撮影装置６００において、図２に示した構成要素と同一の構成要素については同一の符号を付している。
【００５４】
なお、図示はしないが、サーバ装置８００も、医療用画像撮影装置６００と同様に、ＣＰＵ、物理ポートＡに対応するネットワークインターフェース部と、物理ポートＢに対応するネットワークインターフェース部を含み、物理ポートＢに対応するネットワークインターフェース部が、ネットワークインターフェース部６２０と同様に、実効スループット計測部と転送帯域制御部を含む。
【００５５】
図６は、医療用画像撮影装置６００で行われる転送帯域制御動作に係る処理例を示すフローチャートである。なお、この処理は、ＣＰＵ２２４が、図示しないメモリに格納されているプログラムを読み出し実行することによって実行される処理である。
【００５６】
図６に示したように、ＣＰＵ２２４は、ユーザの動画撮影指示に応じて得られた動画データを記録部２２３に記録、保存すると（Ｓ２０１）、その動画データの、サーバ装置８００への転送を開始する（Ｓ２０２）。なお、この時点では、例えば、物理ポートＢにおける論理ポートＡの転送帯域が２０Ｍｂｐｓ（物理ポートＢにおける全ての転送帯域の２０％に相当）に設定され、物理ポートＢにおける残りの転送帯域（８０Ｍｂｐｓ）が、物理ポートＢにおける論理ポートＢの転送帯域として設定されているものとする。
【００５７】
続いて、ＣＰＵ２２４は、動画データの転送が完了したか否かを判定する（Ｓ２０３）。ここで、その判定結果がＮｏの場合には、ＣＰＵ２２４の制御の下、実効スループット計測部６２１が、その他データ転送用インフラに接続されるネットワークインターフェース部６２０における動画データ以外のデータの１分間当たりの実行スループット、すなわち、物理ポートＢにおける論理ポートＢの１分間当たりの実効スループットを計測する（Ｓ２０４）。
【００５８】
続いて、ＣＰＵ２２４は、Ｓ２０４で計測された１分間当たりの実効スループットが２０Ｍｂｐｓ（その他データ転送用インフラの実効スループットの５０％に相当）以上であるか否かを判定する（Ｓ２０５）。ここで、その判定結果がＹｅｓの場合には、ＣＰＵ２２４の制御の下、転送帯域制御部６２２が、ネットワークインターフェース部６２０における動画データの転送帯域、すなわち、物理ポートＢにおける論理ポートＡの転送帯域をゼロに設定する（Ｓ２０６）。また、これにより、物理ポートＢにおける残りの転送帯域、すなわち、物理ポートＢの全ての転送帯域（１００Ｍｂｐｓ）が、物理ポートＢにおける論理ポートＢの転送帯域として設定される。従って、この場合には、その他データ転送用インフラが動画転送に使用されないことになる。
【００５９】
一方、Ｓ２０５の判定結果がＮｏの場合、ＣＰＵ２２４は、Ｓ２０４で計測された１分間当たりの実効スループットが５Ｍｂｐｓ（その他データ転送用インフラの実効スループットの１２．５％に相当）以上であるか否かを判定する（Ｓ２０７）。ここで、その判定結果がＹｅｓの場合には、ＣＰＵ２２４の制御の下、転送帯域制御部６２２が、ネットワークインターフェース部６２０における動画データの転送帯域、すなわち、物理ポートＢにおける論理ポートＡの転送帯域を２０Ｍｂｐｓ（物理ポートＢにおける全ての転送帯域の２０％に相当）に設定する（Ｓ２０８）。なお、この２０Ｍｂｐｓは、実行スループットが８Ｍｂｐｓ程度になると予想される値でもある。また、これにより、物理ポートＢにおける残りの転送帯域（８０Ｍｂｐｓ）が、物理ポートＢにおける論理ポートＢの転送帯域として設定される。
【００６０】
一方、Ｓ２０７の判定結果がＮｏの場合には、ＣＰＵ２２４の制御の下、転送帯域制御部６２２が、ネットワークインターフェース部６２０における動画データの転送帯域、すなわち、物理ポートＢにおける論理ポートＡの転送帯域を５０Ｍｂｐｓ（物理ポートＢにおける全ての転送帯域の５０％に相当）に設定する（Ｓ２０９）。なお、この５０Ｍｂｐｓは、実行スループットが２０Ｍｂｐｓ程度になると予想される値でもある。また、これにより、物理ポートＢにおける残りの転送帯域（５０Ｍｂｐｓ）が、物理ポートＢにおける論理ポートＢの転送帯域として設定される。
【００６１】
そして、Ｓ２０６、Ｓ２０８、又はＳ２０９の後は、処理がＳ２０３へ戻る。
一方、Ｓ２０３の判定結果がＹｅｓの場合、その時点で、ネットワークインターフェース部６２０における動画データの転送帯域、すなわち、物理ポートＢにおける論理ポートＡの転送帯域として設定されている値がゼロでない場合には、それをゼロに設定する（Ｓ２１０）。また、これにより、物理ポートＢにおける残りの転送帯域、すなわち、物理ポートＢの全ての転送帯域（１００Ｍｂｐｓ）が、物理ポートＢにおける論理ポートＢの転送帯域として設定される。従って、この場合には、その他データ転送用インフラにおいて、動画転送用に使用されていた帯域が解放される。
【００６２】
そして、Ｓ２１０の後は、本処理が終了する。
なお、図示はしないが、サーバ装置８００で行われる転送帯域制御動作も、医療用画像撮影装置６００で行われる動作と基本的に同様となる。すなわち、サーバ装置８００で行われる転送帯域制御動作では、医療用画像撮影装置６００からサーバ装置８００への動画データの転送が開始されてからの処理が、図６に示したＳ２０３乃至Ｓ２１０の処理と同様となる。
【００６３】
以上、本実施形態に係る医療用画像撮影システム５００によれば、動画転送用インフラ、又は、動画転送用インフラ及びその他データ転送用インフラを使用して、医療用画像撮影装置６００からサーバ装置８００へ動画データが転送されるようになる。また、その動画データの転送中に、その他データ転送用インフラに接続されるネットワークインターフェース部６２０において、動画データ以外のデータの１分間当たりの実行スループットが大きくなると、動画データの転送帯域が狭く且つ動画データ以外のデータの転送帯域が広く設定されるようになる。また、その動画データの転送中に、ネットワークインターフェース部６２０において、動画データ以外のデータの１分間当たりの実行スループットが小さくなると、動画データの転送帯域が広く且つ動画データ以外のデータの転送帯域が狭く設定されるようになる。従って、医療用画像撮影システム５００では、動画データ以外のデータの転送を滞りなく行うことができると共に動画データの転送に要する時間を極力短縮することができる。
【００６４】
なお、医療用画像撮影装置６００で行われる転送帯域制御動作（図６参照）において、動画データの転送中にユーザが医療用画像撮影装置６００の図示しない電源スイッチをオフする等したために外部の商用電源２４０からの電力供給が遮断された場合、医療用画像撮影装置６００では、第１の実施の形態と同様に、例えば、次のような動作が行われてもよい。この場合は、電源管理部２２６が、その動画データの転送が継続されるように、その動画データの転送に必要な各部（例えば、記録部２２３、ＣＰＵ２２４、ネットワークインターフェース部６１０、６２０等）への電力供給をバッテリー２２７から行うように制御し、その動画データの転送が完了した後にバッテリー２２７からの電力供給を遮断するように制御してもよい。このような動作により、動画データの転送中に外部の商用電源２４０からの電力供給が遮断されたとしても、その動画データの転送を中断することなく継続することができる。なお、このような動作は、動画データの転送に限らず、動画データ以外のデータの転送に適用するようにしてもよい。
【００６５】
以上、第１及び第２の実施の形態について説明したが、各実施形態においては各種の変形が可能である。
例えば、第１の実施の形態に係る医療用画像撮影装置２００、又は、第２の実施の形態に係る医療用画像撮影装置６００において、データ（例えば動画データ）の転送中に外部の商用電源２４０からの電力供給が遮断された場合に、そのデータの転送が継続されるように、そのデータの転送に必要な各部への電力供給を、通信ネットワーク３００又は７００に接続されたネットワーク装置から行うように制御し、そのデータの転送が完了した後にネットワーク装置からの電力供給を遮断するように制御してもよい。この場合、例えば、図２に示した医療用画像撮影装置２００は、図７に示すように、バッテリー２２７が除かれると共に、通信ネットワーク３００に接続されたネットワーク装置であるＰｏＥ（Power over Ethernet）対応のスイッチングハブ３０１に接続される。そして、データの転送中に商用電源２４０からの電力供給が遮断された場合に、電源管理部２２６が、そのデータの転送が継続されるように、その動画データの転送に必要な各部への電力供給をスイッチングハブ３０１から行うように制御し、その動画データの転送が完了した後にスイッチングハブ３０１からの電力供給を遮断するように制御する。このような変形例により、医療用画像撮影装置２００又は６００は、バッテリー２２７の搭載を不要とすることができる。
【００６６】
また、例えば、第１の実施の形態に係る医療用画像撮影システム１００、又は、第２の実施の形態に係る医療用画像撮影システム５００は、図８に示すように、医療用画像撮影装置２００又は６００が、更に、院内ＬＡＮとして示す通信ネットワーク３００又は７００に接続されていない通信ネットワーク９１０に接続され、その通信ネットワーク９１０にサーバ装置９２０が接続される構成を含むようにしてもよい。但し、図８では、説明の便宜のため、医療用画像撮影装置６００と通信ネットワーク７００との接続およびサーバ装置８００と通信ネットワーク７００との接続も一つの通信線として示している（後述の図９においても同じ）。なお、通信ネットワーク９１０、サーバ装置９２０は、第２の通信ネットワーク、第２のサーバ装置の一例である。そして、医療用画像撮影装置２００又は６００から院内ＬＡＮ３００又は７００を介してサーバ装置４００又は８００へ転送され当該サーバ装置４００又は８００に記録されるデータ（例えば動画データ）は、医療用画像撮影装置２００又は６００から通信ネットワーク９１０を介してサーバ装置９２０へも転送され当該サーバ装置９２０にもオリジナルデータとして記録されるようにしてもよい。なお、医療用画像撮影装置２００又は６００からサーバ装置４００又は８００へ転送され記録されたデータは、その後、例えば、院内ＬＡＮ３００又は７００に接続される端末装置（レポーティングＰＣ（Personal Computer）等）９３０によって取得され、レポーティングに使用される。このような変形例によれば、院内ＬＡＮ３００又は７００から切り離されている通信ネットワーク９１０に接続されるサーバ装置９２０にオリジナルデータとして記録されるデータは、セキュリティ脅威によるデータ改竄のリスクを小さくすることができる。
【００６７】
また、例えば、第１の実施の形態に係る医療用画像撮影システム１００、又は、第２の実施の形態に係る医療用画像撮影システム５００は、図９に示すように、医療用画像撮影装置２００又は６００が、更に、データ記録部９４０を含む構成としてもよい。そして、医療用画像撮影装置２００又は６００から院内ＬＡＮとして示す通信ネットワーク３００又は７００を介してサーバ装置４００又は８００へ転送され当該サーバ装置４００又は８００に記録されるデータ（例えば動画データ）は、データ記録部９４０にもオリジナルデータとして一定期間記録されるようにしてもよい。なお、データ記録部９４０は、記録部２２３とは別に設けられてもよいし、記録部２２３の一部がデータ記録部９４０として共用されるようにしてもよい。また、医療用画像撮影装置２００又は６００からサーバ装置４００又は８００へ転送され記録されたデータは、上記の変形例と同様に、その後、例えば、院内ＬＡＮ３００又は７００に接続される端末装置（レポーティングＰＣ等）９３０によって取得され、レポーティングに使用される。このような変形例によれば、データ記録部９４０にオリジナルデータとして記録されるデータは、セキュリティ脅威によるデータ改竄のリスクを小さくすることができる。
【００６８】
なお、図８及び図９を用いて説明した変形例において、例えば、医療用画像撮影装置２００又は６００は、サーバ装置４００又は８００へデータ（例えば動画データ）を転送する際に、当該データに関連する検査日時データもサーバ装置４００又は８００へ転送するようにしてもよい。そして、サーバ装置４００又は８００は、医療用画像撮影装置２００又は６００から転送されるデータを記録した日時と、医療用画像撮影装置２００又は６００から転送されるデータに関連する検査日時データに係る検査日時とに基づいて、データの改竄の可能性の有無を検出するようにしてもよい。例えば、両者の日時の間に一定期間以上の差が生じている場合には、データの改竄の可能性が有るとして、管理者等に対して通知するようにしてもよい。このような変形例によれば、サーバ装置４００又は８００は、記録されたデータの改竄の可能性の有無を検出することができる。
【００６９】
また、例えば、第１の実施の形態に係る医療用画像撮影システム１００、第２の実施の形態に係る医療用画像撮影システム５００、又は、図８或いは図９に示した変形例に係る医療用画像撮影システムにおいて、医療用画像撮影装置２００又は６００は、ユーザ（例えば医師）の指示に応じて、記録部２２３に記録されている動画データのみ、或いは、記録部２２３に記録されている動画データ及び当該動画データに関連付けされた患者データを図示しない表示部に再生表示するようにしてもよい。また、医療用画像撮影装置２００又は６００から転送された動画データ及び当該動画データに関連付けされた患者データを記録したサーバ装置４００又は８００は、ユーザの指示に応じて、その動画データのみ、或いは、その動画データ及び当該動画データに関連付けされた患者データを図示しない表示部に再生表示するようにしてもよい。また、図８又は図９に示した端末装置９３０は、ユーザの指示に応じて、サーバ装置４００又は８００に記録されている動画データのみ、或いは、サーバ装置４００又は８００に記録されている動画データ及び当該動画データに関連付けされた患者データを図示しない表示部に再生表示するようにしてもよい。この場合、その再生表示は、例えば、図１０に示すようにして行われる。まず、ユーザは、再生表示の初期画面９５０において、動画表示エリア９５１のみ、又は、動画表示エリア９５１及び患者情報表示エリア９５２を、図示しない操作部を介して選択する。ここで、ユーザが動画表示エリア９５１及び患者情報表示エリア９５２を選択すると、再生表示画面９６０に示すように、動画データに係る動画映像が動画表示エリア９５１に再生表示されると共に、患者情報表示エリア９５２に患者データに係る患者情報が再生表示される。なお、図１０では、説明の便宜のため、再生表示が行われているエリアを灰色で示している。一方、初期画面９５０において、ユーザが動画表示エリア９５１のみを選択すると、再生表示画面９７０に示すように、動画データに係る動画映像が動画表示エリア９５１に再生表示されるものの、患者情報表示エリア９５２には何も表示されない。なお、この場合に、例えば、再生表示画面９８０に示すように、患者情報表示エリア９５２に再生表示された患者情報と患者情報表示エリア９５２の背景色とを同色にすることで、結果的に、患者情報が表示されないようにしてもよい。なお、図１０の再生表示画面９８０では、説明の便宜のため、再生表示された患者情報と背景色とが同色の患者情報表示エリア９５２を、点線で示している。このような変形例によれば、ユーザは、状況に応じて、動画データのみを表示させるか、又は、動画データ及びそれに関連付けされた患者データを表示させるかを選択することができる。
【００７０】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００７１】
１００      医療用画像撮影システム
２００      医療用画像撮影装置
２１０      内視鏡
２２０      内視鏡ビデオプロセッサ
２２１      スコープインターフェース部
２２２      動画エンコード部
２２３      記録部
２２４      ＣＰＵ
２２５      文字データ生成部
２２６      電源管理部
２２７      バッテリー
２２８      画像処理部
２２９      ネットワークインターフェース部
２３０      実効スループット計測部
２３１      転送帯域制御部
２４０      商用電源
３００      通信ネットワーク
３０１      スイッチングハブ
４００      サーバ装置
５００      医療用画像撮影システム
６００      医療用画像撮影装置
６１０      ネットワークインターフェース部
６２０      ネットワークインターフェース部
６２１      実効スループット計測部
６２２      転送帯域制御部
７００      通信ネットワーク
８００      サーバ装置
９１０      通信ネットワーク
９２０      サーバ装置
９３０      端末装置
９４０      データ記録部
９５０      初期画面
９５１      動画表示エリア
９５２      患者情報表示エリア
９６０、９７０、９８０  再生表示画面
【図１】
0005889489.tif 000002
【図２】
0005889489.tif 000003
【図３】
0005889489.tif 000004
【図４】
0005889489.tif 000005
【図５】
0005889489.tif 000006
【図６】
0005889489.tif 000007
【図７】
0005889489.tif 000008
【図８】
0005889489.tif 000009
【図９】
0005889489.tif 000010
【図１０】
0005889489.tif 000011